(57)【特許請求の範囲】
【請求項１】
表面に第１摺接パターンを設けた第１基板上に第１回転型物を回転自在に設置してなる第１回転式電子部品と、
表面に第２摺接パターンを設けた第２基板上に第２回転型物を回動自在に設置してなる第２回転式電子部品とを具備し、
第１回転式電子部品の上に第２回転式電子部品を配置し、
前記第１基板と第２基板は１枚のフレキシブルシート上に連結部を介してその両側の同一面上に第１摺接パターンと第２摺接パターンとを設けることで構成され、
前記第１回転型物の中央に設けた開口内に挿入されて第１回転型物を回動自在に軸支する軸支部材を設置するとともに、この軸支部材の内部に前記連結部を挿通させる挿通部を設け、さらに前記軸支部材の下部に前記第１基板を前記第１摺接パターンが上向きとなるように載置する第１基板載置部材を設置し、前記軸支部材の上部に前記第２基板を前記第２摺接パターンが上向きとなるように載置する第２基板載置部材を設置したことを特徴とする二重回転式電子部品。
【請求項２】
請求項１に記載の二重回転式電子部品において、
前記第１基板は、前記連結部の一方の側面から突出して設けられていることを特徴とする二重回転式電子部品。
【発明の詳細な説明】
【０００１】
【発明の属する技術分野】
本発明は、上下に二つの回転式電子部品を設置してなる二重回転式電子部品に関するものである。
【０００２】
【従来の技術】
近年ビデオカメラやデジタルスチルカメラ等の携帯機器においては、その小型化のため、これを操作する各種スイッチ類を一箇所に集積化する傾向にある。例えば従来は所望の機能を操作するための回転つまみと、別の機能を操作するための回転つまみを機器の別々の場所に取り付けていたものを、一箇所にまとめて取り付ける必要が生じるようになってきた。
【０００３】
このため二つの回転式電子部品を上下に二重に重ねて設置することが求められるが、そのためには基板を上下二段に設置しなければならず、上側の基板の回路をどこから機器本体側に引き出すか等、種々の解決しなければならない問題があり、またその小型化も困難であった。
【０００４】
【発明が解決しようとする課題】
本発明は上述の点に鑑みてなされたものでありその目的は、回転式電子部品を上下二段に設置することができ、しかも構造が簡単で、小型化も図れる二重回転式電子部品を提供することにある。
【０００６】
【課題を解決するための手段】
上記問題点を解決するため本発明にかかる二重回転式電子部品は、表面に第１摺接パターンを設けた第１基板上に第１回転型物を回転自在に設置してなる第１回転式電子部品と、表面に第２摺接パターンを設けた第２基板上に第２回転型物を回動自在に設置してなる第２回転式電子部品とを具備し、第１回転式電子部品の上に第２回転式電子部品を配置し、前記第１基板と第２基板は１枚のフレキシブルシート上に連結部を介してその両側の同一面上に第１摺接パターンと第２摺接パターンとを設けることで構成され、前記第１回転型物の中央に設けた開口内に挿入されて第１回転型物を回動自在に軸支する軸支部材を設置するとともに、この軸支部材の内部に前記連結部を挿通させる挿通部を設け、さらに前記軸支部材の下部に前記第１基板を前記第１摺接パターンが上向きとなるように載置する第１基板載置部材を設置し、前記軸支部材の上部に前記第２基板を前記第２摺接パターンが上向きとなるように載置する第２基板載置部材を設置したことを特徴とする。
【０００８】
本発明によれば、軸支部材の内部に挿通部を設けたので、この軸支部材に第１回転型物を回動自在に軸支する機能と連結部を挿通させる機能とを併せ持たせることができる。
【０００９】
【発明の実施の形態】
以下、本発明の実施形態を図面に基づいて詳細に説明する。
図１は本実施形態にかかる二重回転式電子部品の概略断面図、図２と図３は二重回転式電子部品の分解斜視図であり、両図を合わせて二重回転式電子部品全体の分解斜視図になるものである。
【００１０】
図１に示すようにこの二重回転式電子部品は、第１回転式電子部品１０の上に、第２回転式電子部品１００を重ねるように配置して構成されている。具体的には、第１回転式電子部品１０は、第１基台１１上に、第１クリック板２０と、第１基板３０と、第１回転型物（回転つまみ）４０と、軸支部材５０とを取り付けて構成されている。一方第２回転式電子部品１００は、第２基台１１０上に、第２基板１２０と、第２回転型物１３０と、第２クリック板１４０と、ケース１５０と、第２回転つまみ１６０とを取り付けて構成されている。以下各構成部品について説明する。
【００１１】
第１基台１１は合成樹脂を板状に成形して構成されており、その中央近傍には４つの小穴１３が設けられている。またその上面の外周近傍からは押圧突起１５が突出している。
【００１２】
第１クリック板２０は金属板製であり、前記第１基台１１の四つの小穴１３に対向する位置にそれぞれ小穴２１を設け、またその所定位置に１つのクリック係合穴２３を設けて構成されている。
【００１３】
第１基板３０はフレキシブル基板であり、略円弧状に形成されたシート部分の表面に所望のスイッチパターン（第１摺接パターン）３１を設けて構成されている。第１基板３０の根元部分にはこれを外部に引き出す引き出し部３３と、下記する第２基板１２０に連結する連結部３５とが反対方向に向けて引き出されている。第１基板３０と連結部３５の接続部分には、２つの固定用穴３８が設けられている。
【００１４】
図４は第１回転型物４０及びこれに取り付ける部品を下面側から見た斜視図である。図３及び図４に示すように第１回転型物４０は合成樹脂を略円板状に成形し、その中央に円形の開口４１を設け、その上面の開口４１の周囲に円弧状のストッパー収納部４３を設け、一方その下面には開口４１の周囲を囲むリング状のクリック板収納部４５と、その半径方向外側に摺動子収納部４４とを設け、さらにクリック板収納部４５の外側に円弧状のコイルバネ収納部４７と、コイルバネ収納部４７に連続するように円弧状に延びる押圧突起収納部４９とを設けて構成されている。またこの第１回転型物４０は第１回転つまみでもあり、そのためその外周からは操作つまみ４２が突出している。
【００１５】
そしてクリック板収納部４５には、弾性金属板をリング状に形成したクリック板６０を収納し、その際クリック板収納部４５に設けた小突起４６をクリック板６０に設けた小穴６１に挿入してその先端を熱カシメすることで固定する。なおこのクリック板６０の所定位置には弾発部６３が設けられている。
【００１６】
また摺動子収納部４４には、弾性金属板製の第１摺動子７０の基部７１を収納し、その際摺動子収納部４４に設けた小突起４８を基部７１に設けた小穴７３に挿入してその先端を熱カシメすることで固定する。なお基部７１の端部からはＵ字状に折り曲げられて突出する摺接部７５が設けられている。
【００１７】
更にコイルバネ収納部４７にはコイルバネ８０が収納されている。
【００１８】
次に図２に示すように軸支部材５０は合成樹脂成形品であり、略円板状の載置部５１の下面から筒状の軸支部５３を突出し、これによって軸支部５３の中央に貫通する挿通部５５を設けて構成されている。載置部５１の外周近傍の三箇所には貫通する小穴５７が設けられ、また載置部５１上面にはその外周から挿通部５５に至る凹状の基板収納部５９が設けられている。なお載置部５１の外周４箇所には、下記するケース１５０の４つの小突起１５４を挿入する凹部５８が設けられている。
【００１９】
ここで図５は軸支部材５０を下面側から見た斜視図である。同図及び図２に示すように軸支部５３の下端辺からは四本の小突起５４が突出し、また載置部５１の下面の所定位置には突起状のストッパー５６が設けられている。
【００２０】
図２に戻って第２基台１１０は、金属板を略円形に形成して構成されており、その中央には円形の穴１１１が設けられ、またその外周には下方向に向かって折り曲げられた三本の舌片状の係止片１１３が設けられ、また外周近傍の四箇所には小穴１１５が設けられている。
【００２１】
第２基板１２０はフレキシブル基板であり、略円板状の部分の表面に所望のスイッチパターン（第２摺接パターン）１２１を設けて構成されている。第２基板１２０の外周からは前記第１基板３０に接続される連結部３５が突出している。第２基板１２０の中央には円形の穴１２３が設けられている。
【００２２】
第２回転型物１３０は合成樹脂を略板状に成形して構成されており、その上面中央からは係止用突起部１３３が突出し、更にその中央からは円形の突起１３６が突出している。係止用突起部１３３の周囲には二つの切り欠き１３５が設けられ、その内部には小突起１３７が設けられている。また第２回転型物１３０の下面中央からも前記突起１３５と同様の突起１３８（図１参照）が突出している。係止用突起部１３３の上面には３つの貫通する円弧状の孔１３４が設けられている。またこの第２回転型物１３０の下面には、弾性金属板からなる第２摺動子１７０が固定される。第２摺動子１７０は前記第１摺動子７０と同じ形状であり、同じ方法で第２回転型物１３０の下面に固定される。
【００２３】
第２クリック板１４０は金属板をリング状に形成して構成されており、等間隔にクリック係合穴１４１を設け、また中央の孔１４３に向けて２つの舌片状の突起１４５を突出し、その中に小穴１４７を設けて構成されている。この第２クリック板１４０は第２回転型物１３０の上面に載置されることで、第２回転型物１３０の係止用突起部１３３が孔１４３に挿入され、その際各突起１４５は切り欠き１３５に係合され、小突起１３７は小孔１４７に挿入されて位置決めされる。
【００２４】
図６はケース１５０及びクリックバネ１８０を裏面側から見た斜視図である。同図及び図２に示すように、ケース１５０は合成樹脂を下面が開放された円形の箱型に成形して構成されており、その上面中央には貫通する穴１５１が設けられ、ケース１５０上面の外周辺部分にはストッパー挿入溝１５３が形成され、一方ケース１５０の外周下辺からは４つの小突起１５４を突出し、またケース１５０下面の穴１５１の周囲からも２つの小突起１５５を突出している。
【００２５】
ケース１５０の下面には弾性金属板をリング状に形成してなるクリックバネ１８０が取り付けられるが、その際ケース１５０の２つの小突起１５５をクリックバネ１８０に設けた２つの穴１８１に挿入して熱カシメして固定する。クリックバネ１８０には２つの弾接部１８３が設けられている。
【００２６】
図７は第２回転つまみ１６０を裏面側から見た斜視図である。この第２回転つまみ１６０は合成樹脂を円形に成形して構成され、その外周側面につまみ部１６１を設け、またその下面中央から三本の係止突起１６３を突出し、さらにその下面外周近傍部分にストッパー１６５を設けている。ストッパー１６５は図７では１つのみ示しているが、１８０度対向する位置にももう一つ設けている。この第２回転つまみ１６０は、その下面に凹部１６７を設けることで、第２回転つまみ１６０が第２回転型物１３０や第２摺動子１７０や第２基板１２０からなる第２回転式電子部品１００の機能部の上部を覆うように構成されている。
【００２７】
図８は第１基板３０と第２基板１２０とを形成したフレキシブル基板製の回転式電子部品用基板９０の斜視図である。同図に示すように第１基板３０と第２基板１２０とは１枚のフレキシブルシート（例えばポリエチレンテレフタレート（ＰＥＴ）シート）の同一面上に、前述のように所望のスイッチパターン３１，１２１を形成して構成されている。第２基板１２０と第１基板３０とは帯状の連結部３５によって連結され、第１基板３０の連結部３５の１８０°反対側からは引き出し部３３が引き出され、その先端には電極部３９が設けられている。各スイッチパターン３１，１２１からは図示しない回路パターンが電極部３９まで引き出されている。連結部３５の第１基板３０近傍部分には二つの固定用穴３８が設けられている。
【００２８】
ところで第１基板３０は直線状に形成された連結部３５及び引き出し部３３の一方の側面から略円弧状に突出するように設けられている。そして連結部３５は、第１基板３０の真上に第２基板１２０を配置するように連結部３５を湾曲させた際に、第１基板３０に形成した円弧状のスイッチパターン３１の円弧の中央付近で折れ曲がるように第１基板３０に接続されている。
【００２９】
次にこの二重回転式電子部品の組立方法を説明する。まず第２回転つまみ１６０の下面にクリックバネ１８０を取り付けたケース１５０を挿入し、第２回転つまみ１６０の係止突起１６３をケース１５０の穴１５１に回動自在に挿入して軸支する。
【００３０】
次に第２摺動子１７０と第２クリック板１４０とを取り付けた第２回転型物１３０をケース１５０の下面に収納するが、その際第２回転つまみ１６０の３つの係止突起１６３を第２回転型物１３０の３つの孔１３４に挿入し、第２回転型物１３０の下面から突出した係止突起１６３先端を熱カシメすることで第２回転つまみ１６０と第２回転型物１３０とを一体に固定する。
【００３１】
次に第２回転型物１３０の下側に第２基板１２０と第２基台１１０とを配置し、ケース１５０下面の各小突起１５４を第２基台１１０の各小穴１１５に挿入してその裏面側で熱カシメして固定する。このとき第２回転型物１３０の下面から突出する突起１３８は第２基板１２０の穴１２３と第２基台１１０の穴１１１に挿入されて回動自在に軸支される。
【００３２】
次に回転式電子部品用基板９０の引き出し部３３と第１基板３０の部分を軸支部材５０の挿通部５５内にその上側から挿通した上で、軸支部材５０の載置部５１上に第２基台１１０を載せ、各係止片１１３をそれぞれ各小穴５７に挿入してその裏面で折り曲げて固定する。このとき連結部３５は基板収納部５９内を通っている。
【００３３】
次にクリック板６０と第１摺動子７０とコイルバネ８０とを取り付けた第１回転型物４０の開口４１に回転式電子部品用基板９０の引き出し部３３と第１基板３０の部分をその上側から挿通し、さらに軸支部材５０の軸支部５３を開口４１に挿入して回転自在に軸支し、次に第１回転型物４０の下に第１基板３０を位置せしめた状態でその下に第１クリック板２０と第１基台１１とを配置し、これによって軸支部材５０に設けた４つの小突起５４の内の二つを回転式電子部品用基板９０の２つの固定用穴３８に挿入し、さらに４つの小突起５４を第１クリック板２０に設けた四つの小穴２１と第１基台１１に設けた四つの小穴１３に挿入してその先端を熱カシメし、これによってこの二重回転式電子部品の組立を完了する。このとき第１基台１１の押圧突起１５は第１回転型物４０下面の押圧突起収納部４９内に挿入されている。
【００３４】
この二重回転式電子部品は図１に示すように、第１基板３０上に第１回転型物４０を回動自在に設置してなる第１回転式電子部品１０と、第２基板１２０上に第２回転型物１３０を回動自在に設置してなる第２回転式電子部品１００とを、第１回転型物４０の回転中心軸と第２回転型物１３０の回転中心軸が同一軸となるように第１回転式電子部品１０上に第２回転式電子部品１００を配置し、さらに第２回転式電子部品１００を回転操作する第２回転つまみ１６０によって第２回転式電子部品１００の機能部を覆うように構成したので、多数の機能を有する二重回転式電子部品を少ない設置面積で機器に取り付けることができる。
【００３５】
また１枚のフレキシブルシート上に連結部３５を介してその両側に第１基板３０と第２基板１２０を設け、連結部３５の部分を第１回転型物４０の回転中心部分に挿通させたので、第１回転型物４０の上下に容易且つコンパクトに第２基板１２０と第１基板３０とを設置することができる。
【００３６】
次にこの二重回転式電子部品の動作を説明する。図１において上側の第２回転つまみ１６０を回転すればこれと一体に第２回転型物１３０が回転し、第２摺動子１７０が第２基板１２０のスイッチパターン１２１上を摺動してそのオンオフ状態を変化すると同時に、クリックバネ１８０の弾接部１８３が第２クリック板１４０のクリック係合穴１４１への挿入・離脱を繰り返すことでクリック感覚を生じる。なお第２回転型物１３０の回動範囲は、第２回転つまみ１６０に設けたストッパー１６５がケース１５０に設けたストッパー挿入溝１５３内を移動できる範囲である。
【００３７】
一方操作つまみ４２を押して回動することで第１回転型物４０を一方の方向（コイルバネ８０の端面を押圧する方向）に回転すると、押圧突起収納部４９内に位置していた押圧突起１５がコイルバネ８０の一端面を押圧してコイルバネ８０をコイルバネ収納部４７内で圧縮して縮める。このとき第１摺動子７０は第一基板３０のスイッチパターン３１上を摺動し、そのオンオフ状態を変化する。操作つまみ４２の押圧を解除するとコイルバネ８０の弾発力によって第１回転型物４０は元の位置に自動復帰する。操作つまみ４２を逆方向に押して第１回転型物４０を回動すると第１摺動子７０がスイッチパターン３１上を摺動してそのオンオフ状態を変化すると同時に、第１回転型物４０に取り付けたクリック板６０の弾発部６３が第１クリック板２０のクリック係合穴２３に係合し、その際クリック感覚が生じる。なお第１回転型物４０は、クリック板６０の弾発部６３がクリック係合穴２３に係合した位置よりも先には回動していかない。何故なら第１回転型物４０の回動範囲は、軸支部材５０に設けたストッパー５６（図５参照）が第１回転型物４０に設けたストッパー収納部４３内を移動する範囲に規制されているからである。
【００３８】
つまりこの二重回転式電子部品は、第２回転型物１３０を回転することで多数のスイッチが切り換わるように構成され、一方第１回転型物４０は中立位置と、コイルバネ８０を押圧しながら回動する位置と、反対方向に回動してクリック感覚を生じる位置の３ポジションでスイッチが切り換わるように構成されている。
【００３９】
ところで第１基板３０は組立の際に軸支部材５０の挿通部５５に挿入されるが、上記実施形態においては第１基板３０を連結部３５の一方の側面から円弧状に突出するように設けたので、容易にこれを湾曲することができてその挿入が容易に行なえる。
【００４０】
また本発明においては、第１基板３０と第２基板１２０を連結部３５で連結した回転式電子部品用基板９０を、略「Ｚ」字状に折り曲げることで第１基板３０上に第２基板１２０を配置したので、回転式電子部品用基板９０上に形成する回路パターンは一方の面だけで良く、その製造が容易になる。特に上記実施形態では、第１基板３０の真上に第２基板１２０を配置するように連結部３５を湾曲せしめた際に、連結部３５が第１基板３０に形成した円弧状のスイッチパターン（第１摺接パターン）３１の円弧の中央付近で折れ曲がるように構成したので、連結部３５は挿通部５５に容易に通すことができる。また連結部３５を回転式電子部品の内部を通すので、回転式電子部品用基板９０の途中の部分が外部に出ることはなく、小型化が図れる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００４３】
【発明の効果】
以上詳細に説明したように本発明によれば以下のような優れた効果を有する。
即ち、１枚のフレキシブルシート上に連結部を介してその両側に第１基板と第２基板を構成したので、部品点数の削減化が図れる。また連結部を軸支部材の挿通部に挿通させることで、軸支部材の下部に第１基板を、軸支部材の上部に第２基板を設置せしめたので、上側の第２基板の回路の引き出しを第１回転式電子部品と第２回転式電子部品の間から外部に引き出すことなく、従って小型化が図れ、構造も簡単になる。
【図面の簡単な説明】
【図１】本発明の一実施形態にかかる二重回転式電子部品の概略断面図である。
【図２】二重回転式電子部品の上半分の分解斜視図である。
【図３】二重回転式電子部品の下半分の分解斜視図である。
【図４】第１回転型物４０及びこれに取り付ける部品を下面側から見た斜視図である。
【図５】軸支部材５０を下面側から見た斜視図である。
【図６】ケース１５０とクリックバネ１８０を裏面側から見た斜視図である。
【図７】第２回転つまみ１６０を裏面側から見た斜視図である。
【図８】回転式電子部品用基板９０の斜視図である。
【符号の説明】
１０  第１回転式電子部品
１１  第１基台（第１基板載置部材）
２０  第１クリック板
３０  第１基板
３１  スイッチパターン（第１摺接パターン）
３３  引き出し部
３５  連結部
４０  第１回転型物（回転つまみ）
４１  開口
４２  操作つまみ
５０  軸支部材
５１  載置部
５３  軸支部
５５  挿通部
７０  第１摺動子
８０  コイルバネ
９０  回転式電子部品用基板
１００  第２回転式電子部品
１１０  第２基台（第２基板載置部材）
１２０  第２基板
１２１  スイッチパターン（第２摺接パターン）
１３０  第２回転型物
１４０  第２クリック板
１５０  ケース
１６０  第２回転つまみ
１７０  第２摺動子
【図１】
0004401015.tif 000002
【図２】
0004401015.tif 000003
【図３】
0004401015.tif 000004
【図４】
0004401015.tif 000005
【図５】
0004401015.tif 000006
【図６】
0004401015.tif 000007
【図７】
0004401015.tif 000008
【図８】
0004401015.tif 000009